(57)【要約】【課題】  ユーザ機器がサービング基地局によるサービスを受けており、かつ干渉源基地局から干渉を受けている場合の、ユーザ機器干渉協調方法を提供する。【解決手段】  本発明の実施例は、ユーザ機器がサービング基地局によるサービスを受けており、かつ干渉源基地局から干渉を受けている場合の、ユーザ機器干渉協調方法を提供する。当該方法は、干渉源基地局への限定的アクセスを要求するステップと、干渉源基地局からの肯定応答メッセージに応答して、干渉源基地局へ干渉協調情報を送信するステップとを備える。【選択図】  図２
2014516483.tif 000002
【特許請求の範囲】
【請求項１】
ユーザ機器がサービング基地局によるサービスを受けており、かつ干渉源基地局から干渉を受けている場合の、ユーザ機器干渉協調方法であって、
干渉源基地局への限定的アクセスを要求するステップと、
干渉源基地局からの肯定応答メッセージに応答して、干渉源基地局へ干渉協調情報を送信するステップとを備えるユーザ機器干渉協調方法。
【請求項２】
干渉源基地局への限定的アクセスを要求するステップが、
干渉源基地局にアクセスするためのアクセス情報を取得し、
アクセス情報に基づいて干渉源基地局への限定的アクセスを要求することを特徴とする請求項１に記載の方法。
【請求項３】
干渉源基地局にアクセスするためのアクセス情報を取得するステップが、
干渉源基地局の識別子をサービング基地局に送信し、
サービング基地局からアクセス情報を受信することを特徴とする請求項２に記載の方法。
【請求項４】
干渉源基地局にアクセスするためのアクセス情報を取得するステップが、
干渉源基地局のブロードキャストチャネルについてのメッセージを受信し、
受信したメッセージに基づいてアクセス情報を取得することを特徴とする請求項２に記載の方法。
【請求項５】
干渉源基地局への限定的アクセスを要求するステップが、
アクセスが限定的アクセスか否かを示すために、物理ランダムアクセスチャネル（ＰＲＡＣＨ）の空の副搬送波に限定的アクセスの符号を付加することを特徴とする請求項１に記載の方法。
【請求項６】
干渉協調情報は少なくともユーザ機器によって現在使用されている周波数リソースを示すことを特徴とする請求項１に記載の方法。
【請求項７】
干渉源基地局からの肯定応答メッセージに応答して、干渉源基地局へ干渉協調情報を送信するステップが、
肯定応答メッセージから、割り当てられた周波数リソースを取得し、
割り当てられた周波数リソースを使用して干渉協調情報を干渉源基地局に送信することを特徴とする請求項１に記載の方法。
【請求項８】
ユーザ機器がサービング基地局によるサービスを受けており、かつ干渉源基地局から干渉を受けている場合の、ユーザ機器干渉協調方法であって、
ユーザ機器による干渉源基地局への限定的アクセスの要求に応答して、ユーザ機器へ肯定応答メッセージを送信するステップと、
周波数リソースの再割り当てを行うために、ユーザ機器から干渉協調情報を受信するステップとを備えるユーザ機器干渉協調方法。
【請求項９】
ユーザ機器がサービング基地局によるサービスを受けており、かつ干渉源基地局から干渉を受けている場合の、ユーザ機器干渉協調装置であって、
干渉源基地局への限定的アクセスの要求を行うように構成された要求ユニットと、
干渉源基地局からの肯定応答メッセージに応答して干渉源基地局に干渉協調情報を送信するように構成された送信ユニットとを備えるユーザ機器干渉協調装置。
【請求項１０】
ユーザ機器がサービング基地局によるサービスを受けており、かつ干渉源基地局から干渉を受けている場合の、ユーザ機器干渉協調装置であって、
ユーザ機器による干渉源基地局への限定的アクセスの要求に応答して、ユーザ機器へ肯定応答メッセージを送信するように構成された送信ユニットと、
周波数リソースの再割り当てを行うために、ユーザ機器から干渉協調情報を受信するように構成された受信ユニットとを備えるユーザ機器干渉協調装置。
【発明の詳細な説明】
【技術分野】
【０００１】
本発明の実施例は、概して通信技術に関し、特に、ユーザ機器干渉協調方法及び装置に関する。
【背景技術】
【０００２】
大成功を収めたＧＳＭ／ＨＳＰＡ技術を進化させた規格として知られる３ＧＰＰ（第３世代パートナーシッププロジェクト）のＬＴＥ（ロングタームエボリューション）及びＬＴＥ−Ａ（ＬＴＥアドバンスト）規格は、新たな進化を続ける無線アクセス技術の新たな仕様シリーズの確立を目指すものである。その目標の１つは、スループットの向上などにより通信システムの性能を向上させることにある。しかし、ユーザ機器（ＵＥ）のスループット性能は、サービング基地局（ＢＳ）からサービスを受けている間に、１つ以上の干渉基地局の隣接セルからの干渉に影響されることが多い。
【０００３】
こうした問題を解決するための方策として、これまで多数の干渉協調方式が研究されてきた。既存の方式では、多くの場合、マクロ基地局（ＭＢＳ）からサービスを受けるＵＥはＭＵＥと呼ばれ、ホーム基地局（ＨＢＳ）からサービスを受けるＵＥはＨＵＥと呼ばれる。ＭＵＥがＨＢＳから干渉を受けた場合、ＭＵＥは、パケット損失率及びパケットの増加によって自機器へのダウンリンク干渉をチェックし、ＨＢＳの評価済みＲＳＲＰ（基準信号受信電力）を比較することによって近隣におけるＨＢＳの有無をチェックして、干渉協調情報をＭＢＳに送信する。ＭＢＳは、ＭＭＥのＳ１インターフェースまたはエアーインターフェースによって、ＭＵＥ  ＡＲＲＩＶＡＬと呼ばれるメッセージを干渉源のＨＢＳに送信する。送信先のＨＢＳが当該メッセージを受信すると、干渉源であるこのＨＢＳは、ＭＵＥへの干渉を軽減するために以下の動作を実行する。すなわち、ＨＢＳはＨＵＥによって使用されるリソースブロック（ＲＢ）の一部を、非ＭＵＥスペクトル部に再割り当てし、ＭＵＥ可能部分にあるＲＢのうち、ＨＵＥによって非リアルタイムトラフィック用として使用されるＲＢを減少させ、ＨＵＥのＱｏＳが過剰である場合には、ＭＵＥ可能部分のＲＢのうち、ＨＵＥによってリアルタイムトラフィック用として使用されるＲＢを減少させる。
【０００４】
既存の方式と比較して考察すると、ユーザ機器から直接、干渉源基地局に干渉協調情報を送信できれば、性能及び効率の向上が達成できる可能性がある。しかし、既存の方式ではユーザ機器が干渉協調情報を干渉源基地局に直接送信することは不可能である。
【発明の概要】
【発明が解決しようとする課題】
【０００５】
前述の問題点を鑑みれば、ユーザ機器がサービング基地局によるサービスを受けており、かつ干渉源基地局から干渉を受けている間に、当該ユーザ機器干渉協調方法及び装置が必要とされていることは明らかである。
【課題を解決するための手段】
【０００６】
本発明の第１の態様によれば、本発明の実施例は、ユーザ機器がサービング基地局によるサービスを受けており、かつ干渉源基地局から干渉を受けている場合の、ユーザ機器干渉協調方法を提供する。当該方法は、干渉源基地局に対して限定的アクセスを要求するステップと、干渉源基地局からの肯定応答メッセージに応答して干渉源基地局に干渉協調情報を送信するステップとを備える。
【０００７】
本発明の第２の態様によれば、本発明の実施例は、ユーザ機器がサービング基地局によるサービスを受けており、かつ干渉源基地局から干渉を受けている場合の、ユーザ機器干渉協調方法を提供する。当該方法は、ユーザ機器から干渉源基地局への限定的アクセスの要求に応答して肯定応答メッセージをユーザ機器に送信するステップと、周波数リソースの再割り当てを行うための干渉協調情報をユーザ機器から受信するステップとを備える。
【０００８】
本発明の第３の態様によれば、本発明の実施例は、ユーザ機器がサービング基地局によるサービスを受けており、かつ干渉源基地局から干渉を受けている場合の、ユーザ機器干渉協調装置を提供する。当該装置は、干渉源基地局への限定的アクセスの要求を行うように構成された要求ユニットと、干渉源基地局からの肯定応答メッセージに応答して干渉源基地局に干渉協調情報を送信するように構成された送信ユニットとを備える。
【０００９】
本発明の第４の態様によれば、本発明の実施例は、ユーザ機器がサービング基地局によるサービスを受けており、かつ干渉源基地局から干渉を受けている場合の、ユーザ機器干渉協調装置を提供する。当該装置は、ユーザ機器による干渉源基地局への限定的アクセスの要求に応答してユーザ機器に肯定応答メッセージを送信するように構成された送信ユニットと、周波数リソースの再割り当てを行うための干渉協調情報をユーザ機器から受信するように構成された受信ユニットとを備える。
【発明の効果】
【００１０】
本発明においては、以下の利点が見込まれる。本発明は、ユーザ機器から干渉源基地局に直接、干渉協調情報を送信することにより、複雑性が少なく低コストな方法で干渉を軽減することができる。また、本発明は既存のＬＴＥのＬ１／Ｌ２設計を再利用できるため、高い再利用性が達成される。さらに、本発明は干渉協調時のＰＤＣＣＨリソースを節約し、時間遅延を短縮することができる。
【００１１】
本発明の実施例の他の特徴と利点も、本発明の実施例の原理を例示的に図示する添付図面を参照しながら、以下の特定の実施例の説明を読むことで明らかになるであろう。
【図面の簡単な説明】
【００１２】
本発明の各実施例は例示的に提示されるものであり、以下では下記の添付図面を参照してその利点がより詳細に説明される。
【００１３】
【図１】本発明の実施例に適用可能な通信環境の概略図である。
【図２】本発明の１つの実施例による、ユーザ機器干渉協調方法のフローチャートである。
【図３】本発明の他の実施例による、ユーザ機器干渉協調方法のフローチャートである。
【図４】本発明のさらに他の実施例による、ユーザ機器干渉協調方法のフローチャートである。
【図５】本発明のさらに他の実施例による、ユーザ機器干渉協調方法のフローチャートである。
【図６】本発明の１つの実施例による、ユーザ機器干渉協調装置のブロック図である。
【図７】本発明の他の実施例による、ユーザ機器干渉協調装置のブロック図である。
【図８】本発明のさらに他の実施例による、ユーザ機器干渉協調装置のブロック図である。
【図９】本発明のさらに他の実施例による、ユーザ機器干渉協調装置のブロック図である。
【図１０】本発明の実施例による、物理ランダムアクセスチャネル（ＰＲＡＣＨ）系列の概略図である。
【図１１】本発明の実施例による、ユーザ機器と干渉源基地局との間の干渉を協調する手順の概略図である。
【発明を実施するための形態】
【００１４】
以下では、本発明の様々な実施例について図面を参照しながら詳細に説明する。図内のフローチャートとブロック図は、本発明の実施例による、コンピュータプログラム製品によって実行可能な装置、方法、及びアーキテクチャ、機能、動作を示している。これらのフローチャートまたはブロック図の各ブロックは、特定の論理機能を実行するための１つ以上の実行可能命令を含むモジュール、プログラム、またはコードの一部を表すこともある。一部の代替実施例においては、ブロックに示す機能が図に示す順序とは異なる順序で実行されることに留意されたい。例えば、２つの連続するブロックが、関連機能との関係上、実際にはほぼ並列的に実行されたり、逆の順序で実行されたりする場合もある。また、ブロック図、フローチャートの各ブロック、及びこれらの組み合わせは、特定の機能／動作を実行するための専用のハードウェアベースシステムによって、あるいは専用ハードウェアとコンピュータ命令との組み合せによって実装できることに留意されたい。
【００１５】
図１は、本発明の実施例に適用可能な通信環境の概略図である。
【００１６】
図１の通信環境には、ＬＴＥシステムが図示されている。このシステムはマクロ基地局（ＭＢＳ）１１０及びホーム基地局（ＨＢＳ）１２０という２つの基地局（ＢＳ）で構成されている。ユーザ機器（ＵＥ）１３０はＭＢＳ  １１０のサービスを受けているため、本発明の実施例においてＵＥ  １３０はＭＵＥ  １３０と呼ばれ、ＭＢＳ  １１０はサービング基地局と呼ばれる。図１に示すように、ＭＵＥ  １３０は、ＭＢＳ  １１０のセル内に位置しており、ＭＢＳ  １１０のサービスを受けているが、周波数リソースの衝突や送信出力の強さなどの要因によって、ＨＢＳ  １２０のセルによる干渉を受ける可能性が高い。そのため、本発明の実施例において、ＨＢＳ  １２０は干渉源基地局と呼ばれる。
【００１７】
理解を容易にするために、本開示の以下の実施例は、図１の通信環境におけるＬＴＥシステムを例として用いて説明する。本開示は他の適切ないかなる通信環境にも適用可能であり、図１に示す例に限定されないことは、当業者には理解されるであろう。
【００１８】
図１では、ＭＢＳ  １１０をサービング基地局、ＨＢＳ  １２０を干渉源基地局として示しているが、本発明の実施例によるサービング基地局及び干渉源基地局はＭＢＳ及びＨＢＳに限定されないことに留意されたい。また、本発明の他の実施例においては、ＭＢＳのサービスを受けているＵＥが別のＭＢＳから干渉を受けるケースが示されている。これはすなわち、サービング基地局がＭＢＳであり、干渉源基地局が別のＭＢＳであって、サービング基地局からＵＥへのサービスがこの干渉源基地局によって干渉を受けていることを意味する。このケースでは、干渉源基地局のセルに切り替えるべきか否かを判定する切替しきい値を設定することができる。この場合は、干渉が切替しきい値を上回ると、ＵＥは干渉源基地局のセルに切り替わる。そして、切替しきい値を上回らない時には、本発明の実施例による干渉協調方法が作動して、干渉源基地局からＵＥへの干渉を軽減することができる。
【００１９】
さらに、本発明においては、「限定的アクセス」とは特殊なランダムアクセスであることにも留意されたい。干渉源基地局への限定的アクセスにおいては、ＵＥは干渉源基地局へのアクセスに成功した後で干渉源基地局と通信を行うが、サービング基地局との通信を終了させるわけではない。１つの例においては、干渉源基地局へのアクセスに成功した後、ＵＥは干渉協調情報を干渉源基地局に送信するが、干渉協調情報送信中にはサービング基地局との通信を終了させずに一時休止させる。
【００２０】
図２は、本発明の実施例による、ユーザ機器がサービング基地局によるサービスを受けており、かつ干渉源基地局から干渉を受けている場合の、ユーザ機器干渉協調方法２００のフローチャートである。
【００２１】
本発明の実施例によれば、図２の方法は、ユーザ機器において、例えば、ユーザ機器の装置、ユーザ機器のプロセッサ、またはユーザ機器自体によって実行させることができる。本発明の実施例において、サービング基地局はマクロ基地局、マイクロ基地局、または他の適用可能な任意のネットワークノードとすることができる。干渉源基地局は、比較的小サイズで低送信出力の、認可周波数帯域で稼働する小規模セルの基地局とすることができる。小規模のセル基地局は、フェムトセルを有するフェムト基地局、ピコセルを有するピコ基地局、または他の適用可能な任意のネットワークノードとすることができる。さらに、干渉源基地局はマクロ基地局またはマイクロ基地局とすることもできる。ここで、フェムト基地局は、ホーム基地局、ＨＢＳ、ホームｅＮｏｄｅＢ、ＨｅＮＢ、または当業者に理解可能な他の名称で呼ばれることもあることに留意されたい。
【００２２】
ステップＳ２０１において、干渉源基地局に対して限定的アクセスの要求が行われる。
【００２３】
本発明の１つの実施例によれば、干渉源基地局に対する限定的アクセスの要求においては、まず干渉源基地局にアクセスするためのアクセス情報が取得され、次に、取得されたアクセス情報に基づいて、干渉源基地局に対する限定的アクセスの要求が行われる。アクセス情報を取得する方法には以下の数通りがある。本発明の１つの実施例によれば、サービング基地局は、アクセス情報取得プロセスに関与することも、あるいは関与しないこともある。１つの実施例においては、干渉源基地局にアクセスするためのアクセス情報は、干渉源基地局の識別子をサービング基地局に送信し、サービング基地局から当該アクセス情報を受信することによって取得される。他の実施例においては、干渉源基地局にアクセスするためのアクセス情報は、干渉源基地局のブロードキャストチャネルについてのメッセージを受信し、受信したメッセージに基づいてアクセス情報を取得することによって取得される。
【００２４】
本発明の１つの実施例によれば、ユーザ機器が干渉源基地局への限定的アクセスを要求する時に、ユーザ機器は、明示的または暗黙的に、当該アクセスが限定的アクセスか、または通常のランダムアクセスかを示す。本発明の１つの実施例においては、アクセスが限定的アクセスか否かを示すために、物理ランダムアクセスチャネル（ＰＲＡＣＨ）の空の副搬送波に限定的アクセスの符号を付加する。この符号については、図３に関連して詳細に説明する。
【００２５】
ステップＳ２０２において、干渉源基地局からの肯定応答メッセージに応答して、干渉源基地局に干渉協調情報が送信される。
【００２６】
本発明の１つの実施例によれば、干渉源基地局は、ユーザ機器による干渉源基地局への限定的アクセスの要求に応答して、ユーザ機器に対して当該アクセスを許可する肯定応答メッセージを送信する。本発明の１つの実施例においては、肯定応答メッセージには少なくとも干渉源基地局によって割り当てられた周波数リソースについての情報が含まれる。
【００２７】
本発明の１つの実施例によれば、ステップＳ２０２において、まず肯定応答メッセージから割り当てられた周波数リソースが取得され、次に、割り当てられた周波数リソースを使用して、干渉源基地局に干渉協調情報が送信される。割り当てられた周波数リソースを使用して干渉協調情報を干渉源基地局に送信するプロセスは、割り当てられた周波数リソースとユーザ機器によって現在使用されている周波数リソースとを比較するステップと、割り当てられた周波数リソースの少なくとも一部がユーザ機器によって現在使用されている周波数リソースと同じ場合には、サービング基地局との通信を一時休止させて干渉協調情報を低出力で送信するステップと、割り当てられた周波数リソースがユーザ機器によって現在使用されている周波数リソースとは異なる場合には、干渉協調情報を低出力で送信するステップとを備える。
【００２８】
本発明の１つの実施例によれば、干渉協調情報は少なくともユーザ機器によって現在使用されている周波数リソースを示す。
【００２９】
本発明の他の実施例によれば、限定的アクセスを要求する前に、まず隣接基地局の中から干渉源基地局が特定される。
【００３０】
図３は、本発明の他の実施例による、ユーザ機器がサービング基地局によるサービスを受けており、かつ干渉源基地局から干渉を受けている場合における、ユーザ機器干渉協調方法３００のフローチャートである。
【００３１】
本発明の実施例によれば、図３の方法は、ユーザ機器において、例えば、ユーザ機器の装置、ユーザ機器のプロセッサ、またはユーザ機器自体によって実行させることができる。本発明の実施例によれば、サービング基地局はマクロ基地局、マイクロ基地局、または他の適用可能な任意のネットワークノードとしてもよく、干渉源基地局は、フェムト基地局、ピコ基地局、マクロ基地局、マイクロ基地局、または、適用可能な任意のネットワークノードとしてもよい。図３の実施例においては、サービング基地局は図１でＭＢＳ  １１０として示すマクロ基地局、干渉源基地局は図１でＨＢＳ  １２０として示すホーム基地局としてもよく、ユーザ機器は図１に示すＭＵＥ  １３０としてもよい。
【００３２】
ステップＳ３０１において、近隣基地局の中から干渉源基地局が特定される。
【００３３】
干渉源基地局を特定する方法には以下の数通りがある。
【００３４】
１つの実施例においては、近隣基地局の基準信号受信電力（ＲＳＲＰ）が測定され、測定されたＲＳＲＰの中から最大ＲＳＲＰが取得され、さらに最大ＲＳＲＰに対応する近隣基地局が干渉源基地局として特定される。
【００３５】
他の実施例においては、ユーザ機器の基準信号受信品質（ＲＳＲＱ）によって干渉源基地局の特定動作がトリガされる。具体的には、ユーザ機器は、定期的にまたは事前決定されたタイミングで自己のＲＳＲＱを測定し、ＲＳＲＱが低い（例えば事前決定されたしきい値を下回る）ことを検出すると、近隣基地局の中から最大ＲＳＲＰを有する基地局を干渉源基地局として選択する。
【００３６】
近隣基地局の中から干渉源基地局を特定することは、当該技術分野の他の方法によっても可能であり、従って上記の実施例は単なる例示であって限定するものではないことは、当業者には理解されるであろう。
【００３７】
ステップＳ３０１は任意であることに留意されたい。本発明の実施例においては、本発明の方法を開始する前に干渉源基地局を事前決定することもできる。
【００３８】
ステップＳ３０２において、干渉源基地局にアクセスするためのアクセス情報が取得される。
【００３９】
本発明の１つの実施例によれば、サービング基地局は、アクセス情報取得プロセスに関与することも、あるいは関与しないこともある。具体的には、干渉源基地局の識別子がサービング基地局に送信され、次にサービング基地局からアクセス情報が受信される。
【００４０】
本発明の１つの実施例によれば、サービング基地局は、アクセス情報を取得するプロセスに関与しない。具体的には、まず干渉源基地局のブロードキャストチャネルについてのメッセージが受信され、次に受信されたメッセージに基づいてアクセス情報が取得される。
【００４１】
アクセス情報の取得は当該技術分野の他の方法によっても可能であり、従って上記の実施例は単なる例示であって限定するものではないことは、当業者に理解されるであろう。
【００４２】
ステップＳ３０３において、アクセス情報に基づいて干渉源基地局への限定的アクセスの要求が行われる。
【００４３】
本発明の１つの実施例によれば、アクセスが限定的アクセスか否かを示すために、ＰＲＡＣＨの空の副搬送波に限定的アクセスの符号が付加される。
【００４４】
図１０は、本発明の１つの実施例による、ＰＲＡＣＨ系列１０００の概略図である。本実施例において、ユーザ機器（ＭＵＥ  １１０）は、ランダムプリアンブル指標、送信出力などのパラメータに従って、ＰＲＡＣＨにより限定的アクセス要求を発信する。図１０に、限定的アクセスの符号１０１０を示す。
【００４５】
図１０の実施例において、ＰＲＡＣＨには例示的に６つのＰＲＢ、すなわち８６４個の副搬送波が含まれている。各副搬送波の帯域幅は１．２５ｋＨｚである。そして、ＰＲＡＣＨ系列の先頭には１２個の空の副搬送波１０２０が配置され、系列の中央には８３９個の副搬送波によるプリアンブル系列１０３０が配置され、ＰＲＡＣＨ系列の最後にさらに１３個の空の副搬送波１０４０が配置されている。現在のアクセスモードを示すために、ＰＲＡＣＨの１個の空の副搬送波内に限定的アクセスの符号が付加される。限定的アクセスを示すために、この符号は「１」かまたは限定的アクセスを示すことのできる事前決定された他の任意の値に設定される。例えば、この符号が「１」に設定されている場合は、アクセスモードは限定的アクセスとして判定され、そうでない場合には通常アクセスとして判定される。あるいは、限定的アクセスの符号をＰＲＡＣＨの複数の空の副搬送波に付加し、すべての符号が「１」である場合に、アクセスモードが限定的アクセスであると判定することもできる。
【００４６】
ステップＳ３０４において、干渉源基地局から受信した肯定応答メッセージから、割り当てられた周波数リソースが取得される。
【００４７】
本発明の実施例によれば、ユーザ機器は、サービング基地局以外の干渉源基地局から自機器が干渉を受けていることを検出すると、当該干渉源基地局に対して限定的アクセスを要求する。干渉源基地局は、限定的アクセス要求への応答として、ユーザ機器に肯定応答メッセージを送信する。１つの実施例においては、肯定応答メッセージには少なくとも、干渉源基地局によって割り当てられた周波数リソースについての情報が含まれる。この周波数リソースとは、ユーザ機器から干渉源基地局へのアップリンク送信用に割り当てられた周波数リソースである。こうして、肯定応答メッセージを受信したユーザ機器は、干渉源基地局によって割り当てられた周波数リソースを取得することができる。
【００４８】
ここで、周波数リソースは、例えば１つ以上の周波数帯域、１つ以上のリソースブロック（ＲＢ）、１つ以上の物理リソースブロック（ＰＲＢ）など、複数の形態にできることに留意されたい。ＬＴＥシステムの１つの実施例においては、割り当てられた周波数リソースには１つ以上のＰＲＢが含まれる。そのため、ユーザ機器は割り当てられたＰＲＢの情報（割り当てられたＰＲＢの総数、割り当てられたＰＲＢの位置など）を肯定応答メッセージから知ることができる。
【００４９】
本発明の実施例によれば、肯定応答メッセージには、割り当てられた周波数リソースの他にクロック情報がさらに含められる。そのため、ユーザ機器は、干渉源基地局との同期をとるために当該クロック情報に基づいて自機器のクロックを調整することができる。
【００５０】
ステップＳ３０５において、割り当てられた周波数リソースを使用して、干渉協調情報が干渉源基地局に送信される。
【００５１】
本発明の１つの実施例によれば、干渉協調情報は少なくともユーザ機器によって現在使用されている周波数リソースを示す。
【００５２】
本発明の実施例によれば、干渉協調情報が送信される前に、割り当てられた周波数リソースが、ユーザ機器によって現在使用されている周波数リソースと比較される。割り当てられた周波数リソースがユーザ機器によって現在使用されている周波数リソースと同じかまたは部分的に同じ場合には、サービング基地局との通信を一時休止した上で、干渉協調情報が送信される。割り当てられた周波数リソースがユーザ機器によって現在使用されている周波数リソースと異なる場合には、干渉協調情報が送信される。
【００５３】
本発明の実施例によれば、干渉協調情報は低出力で送信されるため、ユーザ機器とサービングノードとの通信には殆ど影響を与えない。
【００５４】
図３の実施例においては、ユーザ機器（ＭＵＥ  １３０）は、物理アップリンク共有チャネル（ＰＵＳＣＨ）を介して干渉協調情報を干渉源基地局（ＨＢＳ  １２０）に送信する。他の実施例においては、ＭＵＥのアップリンク送信が一定期間にわたり一時休止される。一時休止期間は、例えば１サブフレーム（例：１ｍｓ）を超えることもある。一時休止期間の後、ユーザ機器は低出力で干渉協調情報を干渉源基地局に送信する。
【００５５】
本発明の１つの実施例によれば、干渉源基地局は、受信した干渉協調情報への応答として、ユーザ機器に限定的アクセス終結信号を送信するので、ユーザ機器は限定アクセス終結信号を受信する。ユーザ機器は、限定的アクセス終結信号に基づいて、限定的アクセスを終了させる。
【００５６】
図４は、本発明のさらに他の実施例による、ユーザ機器がサービング基地局によるサービスを受けており、かつ干渉源基地局から干渉を受けている場合の、ユーザ機器干渉協調方法４００のフローチャートである。
【００５７】
本発明の実施例によれば、図４の方法は、干渉源基地局において、例えば、干渉源基地局の装置、干渉源基地局のプロセッサ、または干渉源基地局自体によって実行される。本発明の実施例において、サービング基地局は、マクロ基地局、マイクロ基地局、または他の適用可能な任意のネットワークノードであってよく、干渉源基地局は、フェムト基地局、ピコ基地局、マクロ基地局、マイクロ基地局、または他の適用可能な任意のネットワークノードであってもよい。
【００５８】
ステップＳ４０１において、ユーザ機器による干渉源基地局への限定的アクセスの要求に応答して、ユーザ機器に肯定応答メッセージが送信される。
【００５９】
本発明の実施例によれば、ユーザ機器は、サービング基地局以外の干渉源基地局から自機器が干渉を受けていることを検出すると、当該干渉源基地局に限定的アクセスを要求する。これはステップＳ２０１及びステップＳ３０３における限定的アクセス要求と類似している。例えば、ユーザ機器はＰＲＡＣＨを介して限定的アクセスの要求を発信する。具体的には、図１０に示すように、当該アクセスが限定的アクセスかまたは通常アクセスかを示すために、限定的アクセスの符号１０１０がＰＲＡＣＨ系列に付加される。干渉源基地局は、ＰＲＡＣＨ系列を受信すると、限定的アクセスの符号を検出して当該アクセスが限定的アクセスであることを認識する。干渉源基地局は、限定的アクセスの要求への応答として、ユーザ機器に肯定応答メッセージを送信する。
【００６０】
本発明の実施例によれば、肯定応答メッセージには少なくとも、干渉源基地局によって割り当てられた周波数リソースについての情報が含まれる。本発明の実施例において、干渉源基地局はユーザ機器から干渉源基地局へのアップリンク送信のために、既存のいくつかの手段によって周波数リソースを割り当てる。アップリンク送信は、物理アップリンク共有チャネル（ＰＵＳＣＨ）ＰＵＳＣＨまたは物理アップリンク制御チャネル（ＰＵＣＣＨ）上で行われる。
【００６１】
ここで、周波数リソースは、例えば１つ以上の周波数帯域、１つ以上のリソースブロック（ＲＢ）、１つ以上の物理リソースブロック（ＰＲＢ）など、複数の形態にできることに留意されたい。
【００６２】
本発明の実施例によれば、肯定応答メッセージには、割り当てられた周波数リソースの他にクロック情報がさらに含められる。そのため、ユーザ機器は、干渉源基地局との同期をとるために当該クロック情報に基づいて自機器のクロックを調整することができる。
【００６３】
ステップＳ４０２において、周波数リソースの再割り当てを行うための干渉協調情報がユーザ機器から受信される。
【００６４】
本発明の１つの実施例によれば、ユーザ機器は、ステップＳ４０１において送信された肯定応答メッセージを受信すると、干渉源基地局に干渉協調情報を送信する。よって干渉源基地局はステップＳ４０２において、ユーザ機器から干渉協調情報を受信する。
【００６５】
本発明の１つの実施例によれば、干渉協調情報は少なくともユーザ機器によって現在使用されている周波数リソースを示す。
【００６６】
本発明の１つの実施例によれば、図４の方法は、干渉協調情報に基づいて、ユーザ機器に干渉している周波数リソースを特定し、特定された周波数リソースを再利用のために一定期間にわたり解放するステップをさらに備える。
【００６７】
本発明の１つの実施例によれば、図４の方法は、受信した干渉協調情報に応答してユーザ機器に限定的アクセス終結信号を送信するステップをさらに備える。
【００６８】
図５は、本発明のさらに他の実施例による、ユーザ機器がサービング基地局によるサービスを受けており、かつ干渉源基地局から干渉を受けている場合の、ユーザ機器干渉協調方法５００のフローチャートである。
【００６９】
本発明の実施例によれば、図５の方法は、干渉源基地局において、例えば、干渉源基地局の装置、干渉源基地局のプロセッサ、または干渉源基地局自体によって実行される。本発明の実施例において、サービング基地局は、マクロ基地局、マイクロ基地局、または他の適用可能な任意のネットワークノードであってよく、干渉源基地局は、フェムト基地局、ピコ基地局、マクロ基地局、マイクロ基地局、または他の適用可能な任意のネットワークノードであってもよい。図５の実施例においては、サービング基地局は、例えば、図１でＭＢＳ  １１０として示すマクロ基地局、干渉源基地局は図１でＨＢＳ  １２０として示すホーム基地局としてもよく、ユーザ機器は図１に示すＭＵＥ  １３０としてもよい。
【００７０】
ステップＳ５０１において、ユーザ機器から干渉源基地局への限定的なアクセス要求に応答して、肯定応答メッセージがユーザ機器に送信される。
【００７１】
ステップＳ５０１はステップＳ４０１と類似しているため、ステップＳ４０１で説明した詳細はすべてステップＳ５０１にも当てはまる。
【００７２】
ステップＳ５０２において、周波数リソースの再割り当てを行うための干渉協調情報がユーザ機器から受信される。
【００７３】
ステップＳ５０２はステップ４０２と類似しているため、ステップＳ４０２で説明した詳細はすべてステップＳ５０２にも当てはまる。
【００７４】
ステップＳ５０３において、受信した干渉協調情報に応答して、限定的アクセス終結信号がユーザ機器に送信される。
【００７５】
本発明の１つの実施例によれば、物理ダウンリンク制御チャネル（ＰＤＣＣＨ）を介してユーザ機器に終結信号が送信されるため、ユーザ機器はこの限定的アクセス終結信号に基づいて限定的アクセスを終了することができる。
【００７６】
ステップＳ５０３は任意であることに留意されたい。限定的アクセス終結信号がなかったとしても、本発明の方法はなおも適用可能であることは、当業者によって理解されるであろう。例えば、限定的アクセスは、干渉協調情報の送信後かまたは一定時間後に自動的に終了させることもできる。
【００７７】
ステップＳ５０４において、干渉協調情報に基づいて、ユーザ機器に干渉している周波数リソースが特定される。
【００７８】
本発明の１つの実施例によれば、干渉協調情報は少なくともユーザ機器によって現在使用されている周波数リソースを示す。ユーザ機器によって現在使用されている周波数リソースは、干渉源基地局によっても使用されている可能性があるため、この周波数リソースはユーザ機器に干渉する可能性がある。そのため、干渉源基地局は、ユーザ機器に干渉する可能性のある周波数リソースを発見し、一定期間にわたり当該周波数リソースを解放する。１つの実施例においては、解放された周波数リソースは、当該期間後に、ユーザ機器によって再利用される。
【００７９】
上述したように、ユーザ機器によって現在使用されている周波数リソースとは、１つ以上の周波数帯域、１つ以上のリソースブロック（ＲＢ）、または１つ以上の物理リソースブロック（ＰＲＢ）などである。ＬＴＥシステムの１つの実施例においては、干渉協調情報には、ユーザ機器によって現在使用されている１つ以上のＰＲＢについての情報が含まれる。そのため、干渉源基地局は、干渉協調情報に基づいて、ユーザ機器によって現在使用されているＰＲＢの総数と位置を知ることができる。
【００８０】
ステップＳ５０５において、特定された周波数リソースは再利用のために一定期間にわたり解放される。
【００８１】
本願の１つの実施例によれば、当該期間を決定する方法には数通りがある。例えば、当該期間は、当業者が経験に基づいて事前設定することも、あるいは具体的な適用業務に応じて決定することもできる。当該期間の後、周波数リソースは干渉源基地局によって再利用される。
【００８２】
ステップＳ５０４及びＳ５０５は任意であることに留意されたい。ステップＳ５０４及びＳ５０５がなかったとしても、本発明の方法はなおも適用可能である。
【００８３】
図６は、本発明の１つの実施例による、ユーザ機器干渉協調装置６００のブロック図である。ユーザ機器は、サービング基地局によるサービスを受けており、かつ干渉源基地局から干渉を受けている。当該装置はＵＥ内で使用することができる。
【００８４】
本実施例において、装置６００は、要求ユニット６１０及び送信ユニット６２０の２つの構成部品を備える。要求ユニット６１０は干渉源基地局への限定的アクセスを要求するように構成され、送信ユニット６２０は干渉源基地局からの肯定応答メッセージに応答して干渉源基地局に干渉調整情報を送信するように構成される。
【００８５】
図７は、本発明の他の実施例による、ユーザ機器干渉協調装置７００のブロック図である。ユーザ機器は、サービング基地局によるサービスを受けており、かつ干渉源基地局から干渉を受けている。当該装置はＵＥ内で使用することができる。
【００８６】
本実施例において、装置７００は、要求ユニット７１０と送信ユニット７２０と干渉源基地局判定ユニット７３０という３つの構成部品を備える。要求ユニット７１０は干渉源基地局への限定的アクセスを要求するように構成され、送信ユニット７２０は干渉源基地局からの肯定応答メッセージに応答して干渉源基地局に干渉調整情報を送信するように構成され、干渉源基地局判定ユニット７３０は近隣基地局の中から干渉源基地局を特定するように構成される。
【００８７】
本実施例において、要求ユニット７１０は、アクセス情報取得手段７１１と限定的アクセス要求手段７１２とを備える。本発明の１つの実施例によれば、アクセス情報取得手段７１１は、干渉源基地局へのアクセスのためのアクセス情報を取得するように構成され、限定的アクセス要求手段７１２は、アクセス情報に基づいて干渉源基地局への限定的アクセスを要求するように構成される。
【００８８】
本発明の１つの実施例によれば、アクセス情報取得手段７１１は、干渉源基地局の識別子をサービング基地局に送信するように構成された手段と、サービング基地局からのアクセス情報を受信するように構成された手段とを備える。
【００８９】
本発明の１つの実施例によれば、アクセス情報取得手段７１１は、干渉源基地局のブロードキャストチャネルについてのメッセージを受信するように構成された手段と、受信したメッセージに基づいてアクセス情報を取得するように構成された手段とを備える。
【００９０】
本発明の１つの実施例によれば、要求ユニット７１０は、アクセスが限定的アクセスか否かを示すために、ＰＲＡＣＨの空の副搬送波に限定的アクセスの符号を付加するように構成された手段を備える。
【００９１】
本発明の１つの実施例によれば、干渉協調情報は少なくともユーザ機器によって現在使用されている周波数リソースを示す。
【００９２】
本発明の１つの実施例によれば、送信ユニット７２０は、割り当てられた周波数リソースを肯定応答メッセージから取得するように構成された手段と、割り当てられた周波数リソースを使用して干渉協調情報を干渉源基地局に送信するように構成された手段とを備える。
【００９３】
本発明の１つの実施例によれば、送信ユニット７２０において干渉協調情報を送信するように構成された手段は、割り当てられた周波数リソースとユーザ機器によって現在使用されている周波数リソースとを比較するように構成された手段と、割り当てられた周波数リソースの少なくとも一部がユーザ機器によって現在使用されている周波数リソースと同じ場合には、サービング基地局との通信を一時休止させて干渉協調情報を低出力で送信するように構成された手段と、割り当てられた周波数リソースがユーザ機器によって現在使用されている周波数リソースとは異なる場合には、干渉協調情報を低出力で送信するように構成された手段とを備える。
【００９４】
本発明の１つの実施例によれば、干渉源基地局判定ユニット７３０は、近隣基地局の基準信号受信電力（ＲＳＲＰ）を測定するように構成された手段と、測定されたＲＳＲＰから最大ＲＳＲＰを取得するように構成された手段と、最大ＲＳＲＰに対応する近隣基地局を干渉源基地局として特定するように構成された手段とを備える。
【００９５】
装置６００または７００は、図２及び図３を参照して説明した諸機能を実装するように構成できるため、方法２００及び３００に関連して述べた特徴は、装置６００または７００の対応する装置にも当てはまることに留意されたい。さらに、装置６００または７００の構成部品は、ハードウェア、ソフトウェア、ファームウェア、もしくはこれらの組み合わせによって具現化できることに留意されたい。例えば、装置６００または７００の構成部品は各々、回路、プロセッサまたはその他の適切な選択装置によって実装することが可能である。ただし、これらの例は限定ではなく例示のみを目的とすることは、当業者には理解されるであろう。
【００９６】
本開示のある実施例においては、装置６００または７００は少なくとも１つのプロセッサを備える。本開示の実施例での使用に適した当該少なくとも１つのプロセッサとしては、例えば、既知かまたは将来開発される汎用及び特殊目的のプロセッサが挙げられる。装置６００または７００はさらに、少なくとも１つのメモリを備える。当該少なくとも１つのメモリとしては、例えば、ＲＡＭ、ＲＯＭ、ＥＰＲＯＭ、ＥＥＰＲＯＭなどの半導体記憶装置や、フラッシュメモリ素子が挙げられる。当該少なくとも１つのメモリは、コンピュータ実行可能命令のプログラムを記憶するために使用される。当該プログラムは、高レベルまたは低レベルのコンパイル可能または解釈可能なプログラミング言語で記述することができる。これらの実施例によれば、コンピュータ実行可能命令は、装置６００または７００が少なくとも１つのプロセッサによって少なくとも上記の方法２００または３００を実行するように構成される。
【００９７】
図８は、本発明のさらに他の実施例による、ユーザ機器干渉協調装置８００のブロック図である。ユーザ機器は、サービング基地局によるサービスを受けており、かつ干渉源基地局から干渉を受けている。当該装置は、小規模のセル基地局（ホーム基地局、フェムト基地局、ピコ基地局など）、マクロ基地局、マイクロ基地局、またはその他の適用可能な任意のネットワークノードにおいて使用される。
【００９８】
本実施例において、装置８００は、送信ユニット８１０と受信ユニット８２０という２つの構成部品を備える。送信ユニット８１０は、ユーザ機器による干渉源基地局への限定的アクセス要求に応答してユーザ機器に肯定応答メッセージを送信するように構成され、受信ユニット８２０は、周波数リソースの再割り当てを行うための干渉協調情報をユーザ機器から受信するように構成される。
【００９９】
図９は、本発明のさらに他の実施例による、ユーザ機器干渉協調装置９００のブロック図である。ユーザ機器は、サービング基地局によるサービスを受けており、かつ干渉源基地局から干渉を受けている。当該装置は、小規模のセル基地局（ホーム基地局、フェムト基地局、ピコ基地局など）、マクロ基地局、マイクロ基地局、またはその他の適用可能な任意のネットワークノードにおいて使用される。
本実施例において、装置９００は、送信ユニット９１０と受信ユニット９２０と干渉周波数リソース判定ユニット９３０と解放ユニット９４０という４つのコンポーネントを備える。
本発明の１つの実施例によれば、送信ユニット９１０はユーザ機器による干渉源基地局への限定的アクセス要求に応答してユーザ機器に肯定応答メッセージを送信するように構成され、受信ユニット９２０は周波数リソースの再割り当てを行うための干渉協調情報をユーザ機器から受信するように構成される。本発明の１つの実施例によれば、干渉周波数リソース判定ユニット９３０は干渉協調情報に基づいてユーザ機器に干渉している周波数リソースを特定するように構成され、解放ユニット９４０は特定された周波数リソースを再利用のために一定期間にわたり解放するように構成される。
【０１００】
本発明の１つの実施例によれば、肯定応答メッセージには少なくとも、干渉源基地局によって割り当てられた周波数リソースについての情報が含まれる。
【０１０１】
本発明の１つの実施例によれば、干渉協調情報は少なくともユーザ機器によって現在使用されている周波数リソースを示す。
【０１０２】
本発明の１つの実施例によれば、送信ユニット９１０はさらに、受信した干渉協調情報に応答して、限定的アクセス終結信号をユーザ機器に送信するように構成される。
【０１０３】
装置８００または９００は、図４及び図５を参照して説明した機能を実装するように構成されるため、方法４００及び５００に関連して述べた特徴は装置８００または９００の対応する装置にも当てはまることに留意されたい。さらに、装置８００または９００の構成部品は、ハードウェア、ソフトウェア、ファームウェア、もしくはこれらの組み合わせによって具現化できることに留意されたい。例えば、装置８００または９００の構成部品は各々、回路、プロセッサまたはその他の適切な選択装置によって実装することが可能である。ただし、これらの例は限定ではなく例示のみを目的とすることは、当業者には理解されるであろう。
【０１０４】
本開示のある実施例においては、装置８００または９００は少なくとも１つのプロセッサを備える。本開示の実施例での使用に適した当該少なくとも１つのプロセッサとしては、例えば、既知かまたは将来開発される汎用及び特殊目的のプロセッサが挙げられる。装置８００または９００はさらに、少なくとも１つのメモリを備える。当該少なくとも１つのメモリとしては、例えば、ＲＡＭ、ＲＯＭ、ＥＰＲＯＭ、ＥＥＰＲＯＭなどの半導体記憶装置や、フラッシュメモリ素子が挙げられる。当該少なくとも１つのメモリは、コンピュータ実行可能命令のプログラムを記憶するために使用される。当該プログラムは、高レベルまたは低レベルのコンパイル可能または解釈可能なプログラミング言語で記述することができる。これらの実施例によれば、コンピュータ実行可能命令は、装置８００または９００が少なくとも１つのプロセッサによって少なくとも上記の方法４００または５００を実行するように構成される。
【０１０５】
図１１は、本発明の実施例による、ユーザ機器と干渉源基地局との間の干渉を協調する手順の概略図である。
【０１０６】
本実施例においては、サービング基地局は図１でＭＢＳ  １１０として示すマクロ基地局、干渉源基地局は図１でＨＢＳ  １２０として示すホーム基地局としてもよく、ユーザ機器は図１に示すＭＵＥ  １３０としてもよい。
【０１０７】
動作１１１０において、ユーザ機器はＰＲＡＣＨを介して限定的アクセス要求を発信する。この時、限定的アクセスの符号がＰＲＡＣＨの空き副搬送波に付加される。符号が「１」の場合は、アクセスモードが通常アクセスではなく限定的アクセスであると判定される。動作１１２０において、干渉源基地局がユーザ機器に対し、クロック調整とアップリンクＰＵＳＣＨリソース割り当てとを含むフィードバックメッセージを送信する。動作１１３０において、フィードバックメッセージに応答して、ユーザ機器は自機器のクロックを調整し、ＰＵＳＣＨを介して干渉源基地局に干渉協調情報を送信する。動作１１４０において、ＭＵＥからの干渉協調情報に応答して、干渉源基地局がＰＤＣＣＨで限定的アクセス終結信号をユーザ機器に送信する。
【０１０８】
上記の手順が限定的アクセス方式である。この方式を使用して、干渉源基地局からマクロＵＥへの干渉を効果的に軽減することができる。
【０１０９】
上記の説明に基づけば、本開示は装置、方法、またはコンピュータプログラム製品内に実装できることは、当業者によって理解されるであろう。一般に、上記の例示的な各実施例は、ハードウェア、専用回路、ソフトウェア、ロジック、またはこれらの組み合わせとして実装することができる。例えば、態様によっては、ハードウェアで実装できるものも、あるいは制御装置、マイクロプロセッサ等の計算装置によって実行可能なファームウェアまたはソフトウェアで実装できるものもあるが、本開示はこれらに限定されるものではない。本開示の例示的実施例の様々な態様は、ブロック図、フローチャート等の描画表現を使用して図示及び説明できるが、本明細書で説明されるブロック、装置、システム、技法または方法は、非限定的な例として示せば、ハードウェア、ソフトウェア、ファームウェア、専用回路またはロジック、汎用ハードウェアまたは制御装置等の計算装置、またはこれらの組み合わせとして実装することができる。
【０１１０】
図２〜５で示す様々なブロックは、方法のステップ、コンピュータプログラムコードの実行によりもたらされる動作、または関連の機能を実行するように構築された複数の結合型論理回路素子とみなすことができる。本開示の例示的実施例の少なくとも一部の態様は、集積回路チップ、モジュール等の様々な構成部品で実施することができる。また、本開示の例示的実施例は、本開示の例示的実施例に従って動作するように構成された集積回路、ＦＰＧＡまたはＡＳＩＣとして具現化された装置において実現することができる。
【０１１１】
本明細書には特定の実装の細目が記載されているが、これらは開示もしくは請求項の範囲を限定するものではなく、特定の開示の特定の実施例に固有な特徴の説明として解釈されなければならない。本明細書において複数の個別の実施例に関連して説明された複数の特徴は、単一の実施例において組み合わせて実装することもできる。逆に、単一の実施例に関連して説明された様々な特徴は、複数の実施例において個別に実装し、または任意の適切な下位組み合わせとして実装することも可能である。さらに、上記において特定の組み合わせで動作するとして説明された特徴や、特定の組み合わせで動作するものとして当初から請求項に記載された特徴であったとしても、請求項記載のある組み合わせの１つ以上の特徴を当該組み合わせから切り離すことが可能であり、さらには、当該請求項記載の組み合わせは、単一の下位組み合わせもしくは単一の下位組み合わせの異型を意味することもあり得る。
【０１１２】
同様に、動作は図面において特定の順序で図示されているが、この事実をもって、所望の結果を得るためには、当該動作が図示された特定の順序で実行されるか、その順序で連続的に実行されるか、または図示されたすべての動作が実行されることが必須であるとして解してはならない。特定の状況においては、マルチタスクの並列処理が有利となることもあり得る。さらに、上記で説明した実施例において様々なシステムコンポーネントが分離されていたとしても、すべての実施例においてこうした分離が必須であると解してはならない。説明された複数のプログラムコンポーネント及びシステムは、一般には、単一のソフトウェア製品として一体化されるか、複数のソフトウェア製品としてパッケージ化されることは理解されるであろう。
【０１１３】
前述の説明を添付図面を参照して読むことにより、当業者には、本開示の前述した例示的実施例に対する様々な修正及び適応が明らかになるであろう。それでもなお、こうしたあらゆる修正は、本開示の非限定的で例示的な実施例の範囲に包含される。さらに、本明細書に記載する開示の他の実施例についても、本開示のこれらの実施例が関連する技術の当業者にとっては、前述の説明及び関連の図面で示された教示の恩恵を有することが明らかであろう。
【０１１４】
従って、本開示の実施例は開示された特定の実施例に限定されず、修正及び他の実施例も同様に付記された請求項の範囲に含まれることが意図されることは、理解されるであろう。本明細書においては具体的な用語が使用されているが、これらの用語は汎用的で説明的な意味でのみ使用されており、限定を意図するものではない。
【０１１５】
さらに、上記実施形態の一部又は全部は、以下の付記のようにも記載されうるが、これに限定されない。
【０１１６】
（付記１）
ユーザ機器がサービング基地局によるサービスを受けており、かつ干渉源基地局から干渉を受けている場合の、ユーザ機器干渉協調方法であって、
干渉源基地局への限定的アクセスを要求するステップと、
干渉源基地局からの肯定応答メッセージに応答して、干渉源基地局へ干渉協調情報を送信するステップとを備えるユーザ機器干渉協調方法。
【０１１７】
（付記２）
干渉源基地局への限定的アクセスを要求するステップが、
干渉源基地局にアクセスするためのアクセス情報を取得し、
アクセス情報に基づいて干渉源基地局への限定的アクセスを要求することを特徴とする付記１に記載の方法。
【０１１８】
（付記３）
干渉源基地局にアクセスするためのアクセス情報を取得するステップが、
干渉源基地局の識別子をサービング基地局に送信し、
サービング基地局からアクセス情報を受信することを特徴とする付記２に記載の方法。
【０１１９】
（付記４）
干渉源基地局にアクセスするためのアクセス情報を取得するステップが、
干渉源基地局のブロードキャストチャネルについてのメッセージを受信し、
受信したメッセージに基づいてアクセス情報を取得することを特徴とする付記２に記載の方法。
【０１２０】
（付記５）
干渉源基地局への限定的アクセスを要求するステップが、
アクセスが限定的アクセスか否かを示すために、物理ランダムアクセスチャネル（ＰＲＡＣＨ）の空の副搬送波に限定的アクセスの符号を付加することを特徴とする付記１に記載の方法。
【０１２１】
（付記６）
干渉協調情報は少なくともユーザ機器によって現在使用されている周波数リソースを示すことを特徴とする付記１に記載の方法。
【０１２２】
（付記７）
干渉源基地局からの肯定応答メッセージに応答して、干渉源基地局へ干渉協調情報を送信するステップが、
肯定応答メッセージから、割り当てられた周波数リソースを取得し、
割り当てられた周波数リソースを使用して干渉協調情報を干渉源基地局に送信することを特徴とする付記１に記載の方法。
【０１２３】
（付記８）
割り当てられた周波数リソースを使用して干渉協調情報を干渉源基地局に送信するステップが、
割り当てられた周波数リソースとユーザ機器によって現在使用されている周波数リソースとを比較し、
割り当てられた周波数リソースの少なくとも一部がユーザ機器によって現在使用されている周波数リソースと同じ場合には、サービング基地局との通信を一時休止させて干渉協調情報を低出力で送信し、
割り当てられた周波数リソースがユーザ機器によって現在使用されている周波数リソースと異なる場合には、干渉協調情報を低出力で送信することを特徴とする付記７に記載の方法。
【０１２４】
（付記９）
隣接基地局の中から干渉源基地局を特定するステップをさらに備える付記１に記載の方法。
【０１２５】
（付記１０）
隣接基地局の中から干渉源基地局を特定するステップが、
近隣基地局の基準信号受信電力（ＲＳＲＰ）を測定し、
測定されたＲＳＲＰから最大ＲＳＲＰを取得し、
最大ＲＳＲＰに対応する近隣基地局を干渉源基地局として特定することを特徴とする付記９に記載の方法。
【０１２６】
（付記１１）
ユーザ機器がサービング基地局によるサービスを受けており、かつ干渉源基地局から干渉を受けている場合の、ユーザ機器干渉協調方法であって、
ユーザ機器による干渉源基地局への限定的アクセスの要求に応答して、ユーザ機器へ肯定応答メッセージを送信するステップと、
周波数リソースの再割り当てを行うために、ユーザ機器から干渉協調情報を受信するステップとを備えるユーザ機器干渉協調方法。
【０１２７】
（付記１２）
肯定応答メッセージには少なくとも干渉源基地局によって割り当てられた周波数リソースについての情報が含まれることを特徴とする付記１１に記載の方法。
【０１２８】
（付記１３）
干渉協調情報は少なくともユーザ機器によって現在使用されている周波数リソースを示すことを特徴とする付記１１に記載の方法。
【０１２９】
（付記１４）
干渉協調情報に基づいて、ユーザ機器に干渉している周波数リソースを特定するステップと、
特定された周波数リソースを、再利用のために一定期間にわたり解放するステップとをさらに備える付記１１に記載の方法。
【０１３０】
（付記１５）
受信した干渉協調情報に応答して、限定的アクセス終結信号をユーザ機器に送信するステップをさらに備える付記１１に記載の方法。
【０１３１】
（付記１６）
ユーザ機器がサービング基地局によるサービスを受けており、かつ干渉源基地局から干渉を受けている場合の、ユーザ機器干渉協調装置であって、
干渉源基地局への限定的アクセスの要求を行うように構成された要求ユニットと、
干渉源基地局からの肯定応答メッセージに応答して干渉源基地局に干渉協調情報を送信するように構成された送信ユニットとを備えるユーザ機器干渉協調装置。
【０１３２】
（付記１７）
要求ユニットが、
干渉源基地局へのアクセスのためのアクセス情報を取得するように構成されたアクセス情報取得手段と、
アクセス情報に基づいて干渉源基地局への限定的アクセスを要求するように構成された限定的アクセス要求手段とを備えることを特徴とする付記１６に記載の装置。
【０１３３】
（付記１８）
アクセス情報取得手段が、
干渉源基地局の識別子をサービング基地局に送信するように構成された手段と、
サービング基地局からアクセス情報を受信するように構成された手段とを備えることを特徴とする付記１７に記載の装置。
【０１３４】
（付記１９）
アクセス情報取得手段が、
干渉源基地局のブロードキャストチャネルについてのメッセージを受信するように構成された手段と、
受信したメッセージに基づいてアクセス情報を取得するように構成された手段とを備えることを特徴とする付記１７に記載の装置。
【０１３５】
（付記２０）
要求ユニットが、
アクセスが限定的アクセスか否かを示すために、物理ランダムアクセスチャネル（ＰＲＡＣＨ）の空の副搬送波に限定的アクセスの符号を付加するように構成された手段を備えることを特徴とする付記１６に記載の装置。
【０１３６】
（付記２１）
干渉協調情報は少なくともユーザ機器によって現在使用されている周波数リソースを示すことを特徴とする付記１６に記載の装置。
【０１３７】
（付記２２）
送信ユニットが、
肯定応答メッセージから、割り当てられた周波数リソースを取得するように構成された手段と、
割り当てられた周波数リソースを使用して干渉協調情報を干渉源基地局に送信するように構成された手段とを備えることを特徴とする付記１６に記載の装置。
【０１３８】
（付記２３）
割り当てられた周波数リソースを使用して干渉協調情報を干渉源基地局に送信するように構成された手段が、
割り当てられた周波数リソースとユーザ機器によって現在使用されている周波数リソースとを比較するように構成された手段と、
割り当てられた周波数リソースの少なくとも一部がユーザ機器によって現在使用されている周波数リソースと同じ場合には、サービング基地局との通信を一時休止させて干渉協調情報を低出力で送信するように構成された手段と、
割り当てられた周波数リソースがユーザ機器によって現在使用されている周波数リソースと異なる場合には、干渉協調情報を低出力で送信するように構成された手段とを備えることを特徴とする付記２２に記載の装置。
【０１３９】
（付記２４）
隣接基地局の中から干渉源基地局を特定するように構成された干渉源基地局判定ユニットをさらに備える付記１６に記載の装置。
【０１４０】
（付記２５）
干渉源基地局判定ユニットが、
近隣基地局の基準信号受信電力（ＲＳＲＰ）を測定するように構成された手段と、
測定されたＲＳＲＰから最大ＲＳＲＰを取得するように構成された手段と、
最大ＲＳＲＰに対応する近隣基地局を干渉源基地局として特定するように構成された手段とを備えることを特徴とする付記２４に記載の装置。
【０１４１】
（付記２６）
ユーザ機器がサービング基地局によるサービスを受けており、かつ干渉源基地局から干渉を受けている場合の、ユーザ機器干渉協調装置であって、
ユーザ機器による干渉源基地局への限定的アクセスの要求に応答して、ユーザ機器へ肯定応答メッセージを送信するように構成された送信ユニットと、
周波数リソースの再割り当てを行うために、ユーザ機器から干渉協調情報を受信するように構成された受信ユニットとを備えるユーザ機器干渉協調装置。
【０１４２】
（付記２７）
肯定応答メッセージには少なくとも干渉源基地局によって割り当てられた周波数リソースについての情報が含まれることを特徴とする付記２６に記載の装置。
【０１４３】
（付記２８）
干渉協調情報は少なくともユーザ機器によって現在使用されている周波数リソースを示すことを特徴とする付記２６に記載の装置。
【０１４４】
（付記２９）
干渉協調情報に基づいてユーザ機器に干渉している周波数リソースを特定するように構成された干渉周波数リソース判定ユニットと、
特定された周波数リソースを、再利用のために一定期間にわたり解放するように構成された解放ユニットとをさらに備える付記２６に記載の装置。
【０１４５】
（付記３０）
送信ユニットはさらに、受信した干渉協調情報に応答して、限定的アクセス終結信号をユーザ機器に送信するように構成されることを特徴とする付記２６に記載の装置。
【符号の説明】
【０１４６】
６００：装置
６１０：要求ユニット
６２０：送信ユニット
７００：装置
７１０：要求ユニット
７１１：アクセス情報取得手段
７１２：限定的アクセス要求手段
７２０：送信ユニット
７３０：干渉源基地局特定ユニット
８００：装置
８１０：送信ユニット
８２０：受信ユニット
９００：装置
９１０：送信ユニット
９２０：受信ユニット
９３０：干渉源周波数リソース特定ユニット
９４０：解放ユニット
１０００：ＰＲＡＣＨ系列
１０１０：限定的アクセスの符号
１０２０：空き副搬送波
１０３０：占有副搬送波
１０４０：空き副搬送波
１１１０：限定的アクセスの要求
１１２０：肯定応答メッセージ
１１３０：干渉協調情報
１１４０：限定的アクセス終結信号
【図１】
2014516483.tif 000003
【図２】
2014516483.tif 000004
【図３】
2014516483.tif 000005
【図４】
2014516483.tif 000006
【図５】
2014516483.tif 000007
【図６】
2014516483.tif 000008
【図７】
2014516483.tif 000009
【図８】
2014516483.tif 000010
【図９】
2014516483.tif 000011
【図１０】
2014516483.tif 000012
【図１１】
2014516483.tif 000013
【国際調査報告】
2014516483.tif 000014
2014516483.tif 000015